Podtech/llm-jp-corpus-v4-ja_patent huggingface dataset:
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
遊技球が入球可能な入球口と、
前記入球口に遊技球が入球したことに基づいて抽選を行う抽選手段と、
前記抽選手段による抽選の結果が第１結果となったことに基づいて、可変入球口が所定期間に亘って開閉状態とされる第１遊技状態を制御する第１遊技状態制御手段と、
前記抽選手段による抽選の結果が第２結果となったことに基づいて、可変入球口が所定期間よりも短い期間に亘って開閉状態とされる第２遊技状態を制御する第２遊技状態制御手段と、
前記第１又は第２遊技状態制御手段によって遊技状態が前記第１又は第２遊技状態に制御されたあと、所定の付加価値を含む第３遊技状態を制御する第３遊技状態制御手段と、
前記第３遊技状態が継続されていることを示す報知を行う継続報知手段と、
前記第３遊技状態が終了されることを示す報知を行う終了報知手段と、
前記第３遊技状態中に前記抽選手段による抽選が第２結果となった場合、当該第２結果となったことに応じて制御される第２遊技状態が終了した後まで継続して前記継続報知手段による報知を行うように制御する移行制御手段と
を備えていることを特徴とする遊技機。
【請求項２】
遊技球が転動する遊技領域面を有する遊技盤を備えた遊技機において、
遊技球が入球可能な入球手段と、
前記入球手段への入球に基づいて、遊技者にとって有利な第１特別遊技状態の発生の当否と、当該第１特別遊技状態よりも遊技者にとって有利な度合いの少ない第２特別遊技状態の発生の当否とを判定する判定手段と、
前記判定手段での第１特別遊技状態当選との判定結果に基づいて第１特別遊技状態を発生させる第１特別遊技状態発生手段と、
前記判定手段での第２特別遊技状態当選との判定結果に基づいて第２特別遊技状態を発生させる第２特別遊技状態発生手段と、
第１特別遊技状態と第２特別遊技状態とのうちで少なくとも第２特別遊技状態の終了後に付加される遊技状態であって、遊技者にとって所定の付加価値を有する、終了期限付きの付加価値遊技状態の発生の当否を判定する付加価値遊技状態発生判定手段と、
前記付加価値遊技状態発生判定手段で発生当選との判定結果に基づいて付加価値遊技状態を発生させる付加価値遊技状態発生手段と、
付加価値遊技状態の発生に基づいて、付加価値遊技状態の開始から終了までを数値化した進行度数の計測を開始する第１計測手段と、
前記第１計測手段での計測値が、付加価値遊技状態の終了値である所定の固定終了値に達したか否かを判定する第１到達判定手段と、
前記第１到達判定手段での固定終了値に達したとの判定に基づいて、前記付加価値遊技状態発生手段による付加価値遊技状態を終了させる第１終了制御手段と、
付加価値遊技状態中における第２特別遊技状態の当選に基づいて、元々進行中の付加価値遊技状態を中止させるとともに前記第１終了制御手段を無効とする中止制御手段と、
前記中止制御手段による付加価値遊技状態の中止後に第２特別遊技状態を発生させるように前記第２特別遊技状態発生手段を制御する発生制御手段と、
前記発生制御手段による第２特別遊技状態の終了後に新たな付加価値遊技状態を更新発生させる更新発生手段と、
前記更新発生手段による更新発生された新たな付加価値遊技状態の開始から終了までを数値化した進行度数の計測を開始する第２計測手段と、
前記第２計測手段での計測値が、付加価値遊技状態の終了値である所定の固定終了値に達したか否かを判定する第２到達判定手段と、
前記第２到達判定手段での固定終了値に達したとの判定に基づいて、前記付加価値遊技状態発生手段による付加価値遊技状態を終了させる第２終了制御手段と、
前記更新発生手段による新たな付加価値遊技状態の更新発生があった場合に、前記第１計測手段での計測値が、再当選以降の値から固定終了値のうちの所定の数値である目的値に達したか否かを判定する目的値到達判定手段と、
前記目的値到達判定手段での目的値到達との判定に基づいて、付加価値遊技状態の延長を知らす延長演出を表示する延長演出表示手段と、
を備えていることを特徴とする遊技機。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
遊技球が転動する遊技領域面を有する遊技盤を備えた遊技機において、
遊技球が入球可能な入球手段と、
前記入球手段への入球に基づいて、遊技者にとって有利な第１特別遊技状態の発生の当否と、当該第１特別遊技状態よりも遊技者にとって有利な度合いの少ない第２特別遊技状態の発生の当否とを判定する判定手段と、
前記判定手段での第１特別遊技状態当選との判定結果に基づいて、第１特別遊技状態期間において、遊技球の入球が困難あるいは入球し難い第１状態から、前記第１状態よりも入球し易い第２状態に変移する動作を実行する第１可変入球手段と、
前記第１可変入球手段とは別の入球手段であって、第２特別遊技状態期間において、遊技球の入球が困難あるいは入球し難い第１状態から、前記第１状態よりも入球し易い第２状態に変移する第２可変入球手段と、
第１特別遊技状態と第２特別遊技状態とのうちで少なくとも第２特別遊技状態の終了後に付加される遊技状態であって、遊技者にとって所定の付加価値を有する、終了期限付きの付加価値遊技状態を発生させる付加価値遊技状態発生手段と、
付加価値遊技状態中であるか否かを判定する付加価値遊技状態判定手段と、
付加価値遊技状態中において前記判定手段で第２特別遊技状態当選と判定された場合に、前記第２可変入球手段を第２状態に変移させるよう制御する変移制御手段と、
を備え、
前記第２可変入球手段は、当該第２可変入球手段が第２特別遊技状態であることを前記第１可変入球手段の第１特別遊技状態よりも認識し辛くしたものである
ことを特徴とする遊技機。
【請求項２】
請求項１に記載の遊技機において、
前記第２可変入球手段は、当該第２可変入球手段が第２状態となった場合の開口面積を、前記第１可変入球手段が第２状態となった場合の開口面積よりも小さくすることで、当該第２可変入球手段が第２特別遊技状態であることを前記第１可変入球手段の第１特別遊技状態よりも認識し辛くしている
ことを特徴とする遊技機。
【請求項３】
請求項１または２に記載の遊技機において、
前記入球手段への入球と前記判定手段での判定結果とに基づいて、特別遊技状態発生の当否を知らせるための所定の識別情報変動表示演出を行う識別情報変動表示手段と、
前記識別情報変動表示手段の表示画面の周囲の少なくとも一部を覆うように配置された装飾部材と
を備え、
前記第２可変入球手段は、前記装飾部材の所定箇所に設けられ、かつ、前記装飾部材に設けられた可動部が動作することで、当該第２可変入球手段の第１状態および第２状態を実現している
ことを特徴とする遊技機
【請求項４】
請求項１から３のいずれか一つに記載の遊技機において、
前記第２可変入球手段は、第２状態である期間が、前記第１可変入球手段が第２状態である期間よりも短くしている
ことを特徴とする遊技機。
【請求項５】
請求項１から４のいずれか一つに記載の遊技機において、
前記第２可変入球手段は、第１状態から第２状態になり再び第１状態に戻るまでを１ラウンドとして所定ラウンド数行うものであり、かつ、前記第１可変入球手段のラウンド数よりも少なくしていることを特徴とする遊技機。
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
バランス定常自由歳差運動（ｂａｌａｎｃｅｄ  ＳＳＦＰ：ｓｔｅａｄｙ−ｓｔａｔｅ  ｆｒｅｅ  ｐｒｅｃｅｓｉｏｎ）のシーケンスの間に磁場マップを生成する方法において、
ＭＲＩスキャナの撮像領域内に被検体を配置し、
位相インクリメント又は周波数シフトを伴って前記バランスＳＳＦＰのイメージングシーケンスを実行して、ｋ空間のＳＳＦＰデータセットを収集し、
前記収集されたＳＳＦＰデータセットのフーリエ変換により、前記ｋ空間のＳＳＦＰデータセットを複数の画像に変換し、
前記フーリエ変換されたＳＳＦＰデータセットの画素強度を検出することにより複数の振幅画像を発生し、
前記振幅画像を分析して前記磁場マップを生成する方法。
【請求項２】
前記バランスＳＳＦＰのイメージングシーケンスを実行するステップでは、位相インクリメント又は周波数シフトが０乃至２πの範囲で変化する前記バランスＳＳＦＰのスキャンを繰り返す請求項１記載の方法。
【請求項３】
前記振幅画像を分析するステップでは、前記振幅画像の画素値をスキャン間で分析し、最小強度を示す各画素について位相インクリメント又は周波数シフトの値を特定する請求項１記載の方法。
【請求項４】
前記磁場マップを生成するステップでは、最小強度を示す複数画素に対する３点の２次関数近似を用いてスピン歳差角のマップを発生する請求項１記載の方法。
【請求項５】
前記磁場マップを生成するステップでは、歳差角のマップの重なりを解放する請求項１記載の方法。
【請求項６】
前記バランスＳＳＦＰのイメージングシーケンスを実行するステップでは、前記ｋ空間の中央部分が他の部分よりも高頻度になる前記ｋ空間データを収集する請求項１記載の方法。
【請求項７】
前記他の部分は、全ｋ空間である請求項６記載の方法。
【請求項８】
前記収集されたｋ空間データは、磁場マップ用データとイメージング用データとに分類される請求項６記載の方法。
【請求項９】
前記磁場マップ用データは、前記ｋ空間の中央部分を占め、比較的多くの位相インクリメント又は周波数シフトのステップ数を有し、
前記イメージング用データは、前記ｋ空間の全域を占め、比較的少ない位相インクリメント又は周波数シフトのステップ数を有する請求項８記載の方法。
【請求項１０】
前記ＭＲＩスキャナ周囲の磁場に関する複数のマップを使って、前記磁場マップの磁場異常を補正する請求項１記載の方法。
【請求項１１】
前記ＭＲＩスキャナ周囲の磁場に関する複数のマップを使って、前記水細胞分離ＳＳＦＰ画像を生成する請求項１記載の方法。
【請求項１２】
前記位相インクリメント又は周波数シフトによるＳＳＦＰデータは、
【数１】
2006280930.tif 000001
により収集され、
前記式において、ＴＲはＳＳＦＰシーケンスの繰り返し時間、ＴＥはエコー時間、Δｆｗａｔｅｒ−ｆａｔは水と脂肪の間の核スピンの共鳴周波数の差である請求項１１記載の方法。
【請求項１３】
前記収集したＳＳＦＰの信号セットを合成して、分離したエコー信号Ｓ０、Ｓ−１を生成し、
前記エコー信号Ｓ０、Ｓ−１をｋ空間から画像空間に変換して、分離画像Ｉ０、Ｉ−１を生成し、
前記分離画像を位相補正し、
前記位相補正した分離画像を合成して、水ＳＳＦＰ画像と脂肪ＳＳＦＰ画像とを生成する請求項１１記載の方法。
【請求項１４】
バランス定常自由歳差運動（ＳＳＦＰ）のシーケンスの間に磁場マップを生成する磁気共鳴イメージング（ＭＲＩ）システムにおいて、
ＲＦコイルと傾斜磁場コイルに対して関連回路を介して接続され、バランスＳＳＦＰのイメージングシーケンスを位相インクリメント又は周波数シフトとともに実行し、ｋ空間上のＳＳＦＰデータセットを収集するプログラムされたコントローラと、
前記収集されたＳＳＦＰデータセットを演算処理することにより複数の磁場マップを生成するものであって、前記収集されたＳＳＦＰデータセットのフーリエ変換により前記ｋ空間のＳＳＦＰデータセットを複数の画像に変換し、前記フーリエ変換されたＳＳＦＰデータセットの画素強度を検出することにより磁場マップを生成するデータプロセッサとを具備する磁気共鳴イメージングシステム。
【請求項１５】
前記データプロセッサは、前記振幅画像の画素値を分析し、最小強度を示す各画素について位相インクリメント又は周波数シフトの値を特定することにより、前記振幅を分析する請求項１４記載のシステム。
【請求項１６】
前記データプロセッサは、複数のスピン歳差角のマップを、最小強度を示す複数画素に対する３点の２次関数近似を用いて発生する請求項１４記載のシステム。
【請求項１７】
前記データプロセッサは、前記歳差角のマップの重なりを解放する請求項１６記載のシステム。
【請求項１８】
前記バランスＳＳＦＰのイメージングシーケンスは、前記ｋ空間の中央部分がｋ空間全域よりも高頻度になるようにｋ空間データを収集する請求項１４記載のシステム。
【請求項１９】
前記データプロセッサは、前記収集されたｋ空間データを、磁場マップ用データとイメージング用データとに分類する請求項１８記載のシステム。
【請求項２０】
前記磁場マップ用データは、前記ｋ空間の中央部分を占め、比較的多くの位相インクリメント又は周波数シフトのステップ数を有し、
前記イメージング用データは、前記ｋ空間の全域を占め、比較的少ない位相インクリメント又は周波数シフトのステップ数を有する請求項１８記載のシステム。
【請求項２１】
前記データプロセッサは、前記ＭＲＩシステム周囲の磁場に関する複数のマップを使って、前記磁場マップの磁場異常を補正する請求項１４記載のシステム。
【請求項２２】
前記データプロセッサは、前記磁場マップを使って、前記水細胞分離ＳＳＦＰ画像を生成する請求項１４記載のシステム。
【請求項２３】
前記位相インクリメント又は周波数シフトによるＳＳＦＰデータは、
【数２】
2006280930.tif 000002
により収集され、
前記式において、ＴＲはＳＳＦＰシーケンスの繰り返し時間、ＴＥはエコー時間、Δｆｗａｔｅｒ−ｆａｔは水と脂肪の間の核スピンの共鳴周波数の差である請求項２２記載のシステム。
【請求項２４】
前記データプロセッサは、前記収集したＳＳＦＰの信号セットを合成して、分離したエコー信号Ｓ０、Ｓ−１を生成し、
前記エコー信号Ｓ０、Ｓ−１をｋ空間から画像空間に変換して、分離画像Ｉ０、Ｉ−１を生成し、
前記分離エコー画像を位相補正し、
前記位相補正した分離画像を合成して、水ＳＳＦＰ画像と脂肪ＳＳＦＰ画像とを生成する請求項２２記載のシステム。
【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
遊技者に相対する前面側に遊技球が流下する遊技領域が形成された遊技板と、
前記遊技板を着脱可能に支持するとともに前記遊技板の前面側にて開閉可能な前面扉を有した枠体と、
前記前面扉に形成されて前記前面扉が閉じられた状態で前面側から前記遊技領域を透視可能とする透明板が設けられた開口窓と、
前記遊技板を前後方向に貫通して形成され、前記遊技領域にて開口する貫通穴と、
前記遊技板に対してその前面側から取り付けられ、前記遊技領域内で前記貫通穴の周縁部を装飾する前部ユニットと、前記遊技板に対してその背面側から取り付けられた後部ユニットと、から構成された演出装置とを備え、
前記後部ユニットは、前面側からみて前記貫通穴の内側領域から前記貫通穴の外側領域にまで拡がる大きさを有した装飾部材とを具備したことを特徴とする遊技機。
【請求項２】
前後方向でみて前記遊技板の背面と前記装飾部材の表面との間に確保された所定の間隙部を有し、この間隙部から前記貫通穴の内側領域を通じて、前記遊技板の背面側で前記貫通穴の外側領域に位置する前記装飾部材を前記遊技板の前面側から視認可能とする可視化空間をさらに備え、
前記後部ユニットの装飾部材は、前記貫通穴の開口領域よりも大きい領域に拡がって形成されていることを特徴とする請求項１に記載の遊技機。
【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
遊技客が遊技に用いる遊技媒体の貸出処理を行う遊技媒体貸出装置であって、
前記遊技客が有する携帯端末に固有の識別情報を取得する取得手段と、
前記取得手段によって取得された識別情報と前記遊技客へ貸出処理される遊技媒体の情報を含む前記遊技客の遊技に関する情報とを対応付けて遊技履歴データを生成する生成手段と
を有することを特徴とする遊技媒体貸出装置。
【請求項２】
前記取得手段によって識別情報が取得される際に、前記携帯端末への電力の供給を開始する供給手段をさらに有することを特徴とする請求項１記載の遊技媒体貸出装置。
【請求項３】
前記取得手段は、
前記遊技客が識別情報の取得に同意するか否かを入力する入力手段と、
前記入力手段への入力から前記遊技客が識別情報の取得に同意したか否かを判定する判定手段とを有し、
前記判定手段によって前記遊技客が同意したと判定された場合にのみ識別情報を取得することを特徴とする請求項１乃至２のいずれかに記載の遊技媒体貸出装置。
【請求項４】
前記生成手段は、
前記識別情報と自装置に併設された遊技機における遊技情報とが対応付けられた遊技履歴データを生成することを特徴とする請求項１乃至２のいずれかに記載の遊技媒体貸出装置。
【請求項５】
前記生成手段によって生成された遊技履歴データを送信する送信手段をさらに有することを特徴とする請求項１乃至２のいずれかに記載の遊技媒体貸出装置。
【請求項６】
前記供給手段は、
自装置に併設された遊技機における遊技が続行している間のみ、前記携帯端末への電力の供給を継続することを特徴とする請求項２記載の遊技媒体貸出装置。
【請求項７】
前記取得手段は、
前記遊技客が有する携帯電話の電話番号を取得する
ことを特徴とする請求項１乃至２のいずれかに記載の遊技媒体貸出装置。
【請求項８】
遊技客が遊技に用いる遊技媒体の貸出処理を行う遊技媒体貸出装置であって、
前記遊技客が有する携帯端末に固有の識別情報を取得する取得手段と、
前記取得手段によって識別情報が取得される際に、前記携帯端末へ優待情報を提供する提供手段と、
前記取得手段によって取得された識別情報と前記遊技客へ貸出処理される遊技媒体の情報を含む前記遊技客の遊技に関する情報とを対応付けて遊技履歴データを生成する生成手段と
を有することを特徴とする遊技媒体貸出装置。
【請求項９】
遊技客が遊技に用いる遊技媒体の貸出処理を行う遊技媒体貸出装置における遊技履歴データ収集方法であって、
前記遊技客が有する携帯端末に固有の識別情報を取得する取得工程と、
前記取得工程にて取得された識別情報と前記遊技客へ貸出処理される遊技媒体の情報を含む前記遊技客の遊技に関する情報とを対応付けて遊技履歴データを生成する生成工程と
を有することを特徴とする遊技履歴データ収集方法。
【手続補正２】
【補正対象書類名】明細書
【補正対象項目名】００１０
【補正方法】変更
【補正の内容】
【００１０】
上記課題を解決するために、本発明は、遊技客が遊技に用いる遊技媒体の貸出処理を行う遊技媒体貸出装置であって、前記遊技客が有する携帯端末に固有の識別情報を取得する取得手段と、前記取得手段によって取得された識別情報と前記遊技客へ貸出処理される遊技媒体の情報を含む前記遊技客の遊技に関する情報とを対応付けて遊技履歴データを生成する生成手段とを有することを特徴とする。
また、本発明は、上記発明において、前記取得手段によって識別情報が取得される際に、前記携帯端末への電力の供給を開始する供給手段をさらに有することを特徴とする。
【手続補正３】
【補正対象書類名】明細書
【補正対象項目名】００１５
【補正方法】変更
【補正の内容】
【００１５】
また、本発明は、上記発明において、前記取得手段は、前記遊技客が有する携帯電話の電話番号を取得することを特徴とする。
【手続補正４】
【補正対象書類名】明細書
【補正対象項目名】００１６
【補正方法】変更
【補正の内容】
【００１６】
また、本発明は、遊技客が遊技に用いる遊技媒体の貸出処理を行う遊技媒体貸出装置であって、前記遊技客が有する携帯端末に固有の識別情報を取得する取得手段と、前記取得手段によって識別情報が取得される際に、前記携帯端末へ優待情報を提供する提供手段と、前記取得手段によって取得された識別情報と前記遊技客へ貸出処理される遊技媒体の情報を含む前記遊技客の遊技に関する情報とを対応付けて遊技履歴データを生成する生成手段とを有することを特徴とする。
【手続補正５】
【補正対象書類名】明細書
【補正対象項目名】００１７
【補正方法】変更
【補正の内容】
【００１７】
また、本発明は、遊技客が遊技に用いる遊技媒体の貸出処理を行う遊技媒体貸出装置における遊技履歴データ収集方法であって、前記遊技客が有する携帯端末に固有の識別情報を取得する取得工程と、前記取得工程にて取得された識別情報と前記遊技客へ貸出処理される遊技媒体の情報を含む前記遊技客の遊技に関する情報とを対応付けて遊技履歴データを生成する生成工程とを有することを特徴とする。
【手続補正６】
【補正対象書類名】明細書
【補正対象項目名】００１８
【補正方法】変更
【補正の内容】
【００１８】
本発明によれば、遊技客が有する携帯端末に固有の識別情報を取得し、取得された識別情報と遊技客へ貸出処理される遊技媒体の情報を含む遊技に関する情報とを対応付けて遊技履歴データを生成する。このため、遊技客ごとの遊技に関する情報を遊技客に固有の識別情報をキーとして自動的に収集することができ、遊技客の遊技に関する高精度な情報を効率的に収集し、遊技客全体の動向を正確に把握することができる。
また、本発明によれば、識別情報が取得される際に、携帯端末への電力の供給を開始するため、識別情報の取得の対価として供給される電力を携帯端末の充電などに利用することができ、遊技客の便宜を図ることができる。
【手続補正７】
【補正対象書類名】明細書
【補正対象項目名】００２３
【補正方法】変更
【補正の内容】
【００２３】
また、本発明によれば、遊技客が有する携帯電話の電話番号を取得するため、確実に遊技客に固有の識別情報を取得することができる。
【手続補正８】
【補正対象書類名】明細書
【補正対象項目名】００２４
【補正方法】変更
【補正の内容】
【００２４】
また、本発明によれば、遊技客が有する携帯端末に固有の識別情報を取得し、識別情報が取得される際に、携帯端末へ優待情報を提供し、取得された識別情報と遊技客へ貸出処理される遊技媒体の情報を含む遊技に関する情報とを対応付けて遊技履歴データを生成する。このため、遊技履歴データの収集に協力した遊技客は、遊技を有利に行うことができるので、遊技店は、より多くの遊技履歴データの収集を見込むことができる。
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
制御基板を収容する基板ケースがベース部材を介して装着される遊技機であって、
前記ベース部材を前記遊技機に対して取り付け固定するための取付手段を備え、前記ベース部材に取り付けた前記基板ケースにより前記取付手段の着脱操作する部分を被覆することを特徴とする遊技機。
【請求項２】
前記基板ケースが、前記取付手段による前記遊技機に対する前記ベース部材の固定を解除するために必要な距離未満の間隔で前記取付手段の解除方向の前方を被覆している請求項１に記載の遊技機。
【請求項３】
前記基板ケースが前記制御基板を収容するケース本体部と、該ケース本体部から前記取付手段の配設部位と整合するように延在させた被覆部とを備え、前記被覆部が前記取付け手段の着脱操作する部分の側方を更に被覆している請求項１又は２に記載の遊技機。
【請求項４】
前記基板ケースが前記ベース部材に対するスライドにより組み付けられると共に、前記被覆部が前記ベース部材に対する前記基板ケースのスライド方向に関してほぼ平行な線を基準に折れ曲がった断面略Ｌ字形状であり、前記被覆部が前記取付手段の解除方向の前方と前記取付手段の着脱操作する部分の側方を被覆している請求項３に記載の遊技機。
【請求項５】
前記ベース部材に前記取付手段の着脱操作する部分を収容する凹部が形成され、前記ベース部材における前記凹部の周辺部が前記取付手段の着脱操作する部分の側方を被覆している請求項１〜４のいずれか一項に記載の遊技機。
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
遊技媒体を貯留する受け皿を備え、所定の入賞条件の成立に基づき遊技媒体を払出口から前記受け皿へ払い出す遊技機であって、
前記払出口の外側でかつ前記受け皿の上方に設けられ、前記払出口の上部を覆う遮蔽部を更に備え、前記遮蔽部の下端位置が前記受け皿の前壁の上端位置と前記払出口の上端位置を結ぶラインよりも下方に位置することを特徴とする遊技機。
【請求項２】
前記遮蔽部の幅が前記払出口の幅よりも広い請求項１に記載の遊技機。
【請求項３】
前記遮蔽部の払出口側の表面が後方側から前方側へ下る傾斜面である請求項１又は２に記載の遊技機。
【請求項４】
前記受け皿の前後方向後端側を覆うフード部を備え、前記遮蔽部が前記フード部から下方へ突出している請求項１、２又は３に記載の遊技機。
【手続補正書】
【提出日】平成21年1月30日(2009.1.30)
【手続補正１】
【補正対象書類名】特許請求の範囲
【補正対象項目名】請求項１
【補正方法】変更
【補正の内容】
【請求項１】
浴槽と、該浴槽の長手方向に複数配設され浴水を噴出させるノズルを備えた浴槽装置であって、前記ノズルとして、入浴者の足先から踵に向けて浴水をスイングさせながら噴出可能な足裏用ノズルと、入浴者の足首から膝裏に向けて浴水をスイングさせながら噴出可能な脹脛用ノズルと、入浴者の背中に向けて浴水を噴出する背中用ノズルとを有し、浴水を循環する単一の循環ポンプと、この単一の循環ポンプからの浴水を前記足裏用ノズル及び前記脹脛用ノズルへの流路と前記背中用ノズルへの流路とに配分して供給する第１の弁と、この第１の弁と連続的に前記足裏用ノズル及び前記脹脛用ノズルへの流路に供給された浴水を前記足裏用ノズルへの流路と前記脹脛用ノズルへの流路とに配分して供給する第２の弁を備えることを特徴とする浴槽装置。
【手続補正２】
【補正対象書類名】明細書
【補正対象項目名】００１２
【補正方法】変更
【補正の内容】
【００１２】
上記の課題を解決するため本発明の浴槽装置は、浴槽と、該浴槽の長手方向に複数配設され浴水を噴出させるノズルを備えた浴槽装置であって、前記ノズルとして、入浴者の足先から踵に向けて浴水をスイングさせながら噴出可能な足裏用ノズルと、入浴者の足首から膝裏に向けて浴水をスイングさせながら噴出可能な脹脛用ノズルと、入浴者の背中に向けて浴水を噴出する背中用ノズルとを有し、浴水を循環する単一の循環ポンプと、この単一の循環ポンプからの浴水を前記足裏用ノズル及び前記脹脛用ノズルへの流路と前記背中用ノズルへの流路とに配分して供給する第１の弁と、この第１の弁と連続的に前記足裏用ノズル及び前記脹脛用ノズルへの流路に供給された浴水を前記足裏用ノズルへの流路と前記脹脛用ノズルへの流路とに配分して供給する第２の弁を備えることを特徴としている。
【手続補正書】
【提出日】平成20年12月25日(2008.12.25)
【手続補正１】
【補正対象書類名】特許請求の範囲
【補正対象項目名】請求項４
【補正方法】変更
【補正の内容】
【請求項４】
前記敏感肌であると鑑別した理由の表示が、被鑑別者の角層細胞の形状と、平均的な角層細胞の形状との比較であることを特徴とする、請求項３に記載の敏感肌の改善のためのアドバイスの提示方法。
【手続補正２】
【補正対象書類名】明細書
【補正対象項目名】０００６
【補正方法】変更
【補正の内容】
【０００６】
この様な状況に鑑みて、本発明者らは、敏感肌をより確実に改善するために、敏感肌形成における、生活行動的要因を明らかにするべく、鋭意研究努力を重ねた結果、「バランスの悪い食事・不規則な食事、食べすぎ・飲み過ぎ、ストレスが多い、睡眠不足、運動不足、喫煙、紫外線に当たる機会が多い、冷暖房の中にいることが多い、疲れやすい、冷えが気になる、肩こりが気になる、足がむくみやすい、貧血ぎみ、便秘がち、生理不順ぎみ」に列挙される性かす習慣の内、「ストレスが多い、睡眠不足、疲れやすい、生理不順ぎみ」を充足する人に敏感肌が現れやすいことを疫学的調査から明らかにし、発明を完成させるに至った。即ち、本発明は以下に示すとおりである。
（１）敏感肌の人における、その要因の鑑別方法であって、敏感肌であると鑑別された人に対して、次の（Ａ群）に示す生活習慣を提示し、その人の生活習慣として合致すると認識する生活習慣を選択してもらい、該選択された生活習慣に、（Ｂ群）に示す生活習慣が含まれる程度を調べ、含まれる生活習慣が敏感肌の要因となっていると判別することを特徴とする、敏感肌の人における、その要因の鑑別方法。
（Ａ群）
バランスの悪い食事・不規則な食事、食べすぎ・飲み過ぎ、ストレスが多い、睡眠不足、運動不足、喫煙、紫外線に当たる機会が多い、冷暖房の中にいることが多い、疲れやすい、冷えが気になる、肩こりが気になる、足がむくみやすい、貧血ぎみ、便秘がち、生理不順ぎみ
（Ｂ群）
ストレスが多い、睡眠不足、疲れやすい、冷えが気になる、生理不順ぎみ
（２）前記敏感肌であることが、角層細胞の形状より鑑別されるものであることを特徴と
する、（１）に記載の敏感肌の人における、その要因の鑑別方法。
（３）（１）又は（２）に記載の鑑別方法により、生活習慣が敏感肌の要因となっていると鑑別された敏感肌の人に対して、敏感肌であると鑑別した理由の表示とともに、ストレスの軽減措置、睡眠時間の十分な取得と質の向上の措置及び規則正しい生活の実施をアドバイスとして提示することを特徴とする、敏感肌の改善のためのアドバイスの提示方法。（４）前記敏感肌であると鑑別した理由の表示が、被鑑別者の角層細胞の形状と、平均的な角層細胞の形状との比較であることを特徴とする、（３）に記載の敏感肌の改善のためのアドバイスの提示方法。
【手続補正３】
【補正対象書類名】明細書
【補正対象項目名】００１２
【補正方法】変更
【補正の内容】
【００１２】
前者としては、次のような設問を設定し、「はい」もしくは「いいえ」で答えてもらい、「はい」の回答確率が高い場合には敏感肌であると判別できる。
・化粧品を使用すると皮膚が赤くなることが多い。
・時々湿疹が出る。
・指で腕をかくと蚯蚓腫れになる。
・冬場に皮膚がかさついて粉を吹いたようになる。
・冷たい風に当たると蕁麻疹がでる。
・脇腹などにぶつぶつがでやすい。
・皮膚の柔らかい部分に発疹がでる。
・顔などが何もしなくてもひりひりとすることがある。
【手続補正書】
【提出日】平成21年2月5日(2009.2.5)
【手続補正１】
【補正対象書類名】明細書
【補正対象項目名】００２８
【補正方法】変更
【補正の内容】
【００２８】
この高所鋸を、約１２ｍの高さにある樹木の枝３７の切断に供した。傾動平面を地面に対する角度θが約９０−１５°＝７５°となるように固定し、鋸刃３が被切断物である樹木の枝３７にほぼ垂直に当たるようにした。傾動平面内において地面５と支持棒１とのなす角度Φは切断を開始する時点で約８０°とした。支持棒１と鋸刃駆動ユニット２の重量を利用して鋸刃３が被切断物である樹木の枝３７にもたれ掛かるようにしながら切断を行った。作業者３３は支持棒１を手で軽く支えながらポンプ３２を足で踏み込む動作を繰り返すことにより、樹木の枝３７をその長さ方向に対しほぼ垂直方向に切断した。鋸刃３は往復運動方向の軸まわりに回転せず、かつ傾動平面内に拘束されて傾動するので、１人作業で容易に正確な切断が可能であった。
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
牽引車で牽引又は自走により畑を前進する機体の前下部に畦土の農作物を掘起する掘取スキを設け、掘取スキ後方の機体位置に掘起した農作物を掘り上げて土をふるい落としながら後上方へ搬送する傾斜コンベヤを設け、傾斜コンベヤ下方の機体後部位置に掘起後の畦土を回転駆動により整地する広幅の接地ローラーを設け、傾斜コンベヤで搬送した農作物を後上方から整地後の畦土上へ落下させて収穫可能な状態にする農作物掘取機において、前記接地ローラーを脱着可能にし、しかも接地ローラーの脱着構造が、接地ローラーの一方の軸端に軸受部を途中位置に備えた操作レバーを接地ローラーが回転できるように基端部で一体的に取り付け、操作レバーの軸受部に挿入して操作レバーを回転可能に支持する支持軸を機体に突設し、接地ローラーの他方の軸端を挿入して駆動力を伝達する駆動軸支部を機体に揺動自在に設け、操作レバーを所定角度で掛止する複数の掛止溝を備えたストッパーを機体に設け、操作レバーで接地ローラーを揺動させて畦土からの高さを変更できるようにするとともに操作レバーと接地ローラーを一体で脱着できるようにしたものであることを特徴とする、農作物掘取機。
【請求項２】
機体の支持軸が駆動軸支部の揺動と連動するシャフトの軸端であって、同軸端に係合キーを形成し、同係合キーに嵌合して機体の一部と係止する固定具を備え、接地ローラーの取り外し時に駆動軸支部の揺動を固定できるようにした、請求項１記載の農作物掘取機。
【請求項３】
接地ローラーの取り外し後の駆動軸支部に脱着自在に取り付ける保護キャップを備えた、請求項１又は２記載の農作物掘取機。
【手続補正２】
【補正対象書類名】明細書
【補正対象項目名】０００５
【補正方法】変更
【補正の内容】
【０００５】
かかる課題を解決した本発明の構成は、
１）  牽引車で牽引又は自走により畑を前進する機体の前下部に畦土の農作物を掘起する掘取スキを設け、掘取スキ後方の機体位置に掘起した農作物を掘り上げて土をふるい落としながら後上方へ搬送する傾斜コンベヤを設け、傾斜コンベヤ下方の機体後部位置に掘起後の畦土を回転駆動により整地する広幅の接地ローラーを設け、傾斜コンベヤで搬送した農作物を後上方から整地後の畦土上へ落下させて収穫可能な状態にする農作物掘取機において、前記接地ローラーを脱着可能にし、しかも接地ローラーの脱着構造が、接地ローラーの一方の軸端に軸受部を途中位置に備えた操作レバーを接地ローラーが回転できるように基端部で一体的に取り付け、操作レバーの軸受部に挿入して操作レバーを回転可能に支持する支持軸を機体に突設し、接地ローラーの他方の軸端を挿入して駆動力を伝達する駆動軸支部を機体に揺動自在に設け、操作レバーを所定角度で掛止する複数の掛止溝を備えたストッパーを機体に設け、操作レバーで接地ローラーを揺動させて畦土からの高さを変更できるようにするとともに操作レバーと接地ローラーを一体で脱着できるようにしたものであることを特徴とする、農作物掘取機
２）  機体の支持軸が駆動軸支部の揺動と連動するシャフトの軸端であって、同軸端に係合キーを形成し、同係合キーに嵌合して機体の一部と係止する固定具を備え、接地ローラーの取り外し時に駆動軸支部の揺動を固定できるようにした、前記１）記載の農作物掘取機
３）  接地ローラーの取り外し後の駆動軸支部に脱着自在に取り付ける保護キャップを備えた、前記１）又は２）記載の農作物掘取機
にある。
【手続補正書】
【提出日】平成21年1月22日(2009.1.22)
【手続補正１】
【補正対象書類名】明細書
【補正対象項目名】０００７
【補正方法】変更
【補正の内容】
【０００７】
まず、初期状態では、第１の電極２と第２の電極４の２つの電極体４Ａ、４Ｂが共にグランドレベルに接続されており、この状態で第１の液体６が一方の電極体４Ａの全域と他方の電極体４Ｂのうち電極体４Ａに近接する部分とにわたって位置している。
この状態では、第１の液体６はその表面張力によって図１（Ａ）、（Ｂ）に実線で示すように平面視円形の形状を呈している。
ここで、他方の電極体４Ｂに電圧Ｅが印加されると、絶縁膜５が第１の液体６に臨む箇所に正電荷がチャージされ、これにより、第１の液体６が絶縁体５に臨む箇所に電界（静電気力）が作用して第１の液体６が絶縁体５に臨む箇所に負電荷が引寄せられ、言い換えると、第１の液体６を構成する分子が引き寄せられる。
すると、第１の液体６は、図１（Ａ）、（Ｂ）に破線で示すように、電極体４Ｂに向かって引き寄せられるように形状が変化し、やがて、第１の液体６が第２の液体７によって周囲を囲まれた状態で第１の液体６全体が仮想軸Ｌの延在方向に沿って一方の電極体４Ａの上から他方の電極体４Ｂの上に移動する。
なお、撥水膜３Ａ、３Ｂは第１の液体６が第１、第２の電極２、４上で移動する際に液体６と第１、第２の端面壁１Ａ、１Ｂとの間で生じる抵抗を削減し、移動しやすくする作用を果たすものである。
このように、有極性または導電性を有する第１の液体６に第１、第２の電極２、４によって電界を作用させることで第１の液体６が移動される。
【手続補正２】
【補正対象書類名】明細書
【補正対象項目名】００２７
【補正方法】変更
【補正の内容】
【００２７】
第２の実施の形態においても、第１の実施の形態と同様に、電圧印加手段２２により電圧印加の箇所を第１、第２の電極１８、２０の延在方向に変えることによって、第１の液体１４を第１、第２の端面壁２４、２６の双方に接触しつつかつ第１の液体１４が第２の液体１６によって周囲を囲まれた状態で第１の液体１４の全体を仮想軸Ｌに沿って移動される。
したがって、第２の実施の形態においても、第１の実施の形態と同様の効果を奏する。
また、第２の実施の形態では、第１の電極１８が第１、第２の端面壁２４、２６の内面から離間した位置に配置されているので、第１の実施の形態に比較して第２電極体３２の面積を確保する上でより有利となり、第１の電極１８と、第２の電極２０との間に印加された電圧によって発生する電界を第１の液体１４のより広い面積に作用させることができ、したがって、第１の液体１４に作用する力がより大きなものとなり、第１の液体１４の移動速度の高速化を図る上でより有利となる。
【手続補正３】
【補正対象書類名】明細書
【補正対象項目名】００２９
【補正方法】変更
【補正の内容】
【００２９】
また、図示は省略するが、第１の実施の形態と同様に、収容室３０に臨む第１、第２の端面壁２４、２６の内面およびこの内面に設けられた第２電極体３２上には、絶縁膜が形成されている。
また、第２の端面壁２６の内面に設けられた第１電極体３８の部分には絶縁膜は形成されていない。
したがって、第１の電極１８と第２の電極２０の第２電極体３２との間に電圧が印加されることで絶縁膜の表面に例えばプラス電荷が帯電され、これにより第１の液体１４に電界がかかり、第１の液体１４を構成する分子に電界（静電気力）が作用して第１の液体１４の移動がなされるように構成されている。
【手続補正４】
【補正対象書類名】明細書
【補正対象項目名】００４０
【補正方法】変更
【補正の内容】
【００４０】
（第５の実施の形態）
次に第５の実施の形態について説明する。
第５の実施の形態は第１の実施の形態の変形例であり、第１の実施の形態では、第１の液体１４の透過率が第２の液体１６の透過率よりも低くなるように形成されているのに対して、第５の実施の形態では、第２の液体１６の透過率が第１の液体１４の透過率よりも低くなるように形成されている点が第１の実施の形態と異なっており、その他は第１の実施の形態と同様である。
図１５は第５の実施の形態の液体移動装置１０の構成を示す説明図である。
図１５に示すように、第１の液体１４は、透明で有極性または導電性を有し収容室３０に封入されている。
第２の液体１６は、第１の液体１４と互いに混合しないものであり収容室３０に封入されている。
また、第１の液体１４と第２の液体１６は実質的に等しい比重を有しかつ第２の液体１６の透過率は第１の液体１４の透過率よりも低くなるように形成されている。
本実施の形態では、第２の液体１６は透明なシリコンオイルで構成され、表面が親油性に処理された着色剤を第２の液体１６に分散させることで第２の液体１６の透過率を第１の液体１４の透過率よりも低くなるように形成している。
【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
定形で矩形状のタイルが縦横に並んで取付けられるタイル下地面に直接固着される基台と、
この基台の前面を覆うとともに基台に固着される取付け台と、この取付け台に固定される電気機器とを具え、
前記基台は、タイル下地面から延出して電気機器に接続される導線を挿通するとともに、導線の通過位置を調整しうる充分な大きさに形成された配線開口を有することを特徴とするタイル仕上面の電気機器取付構造。
【請求項２】
前記基台は、タイル下地に向く背面の周縁部とタイル下地との間に第１の水密材を介装することを特徴とする請求項１記載のタイル仕上面の電気機器取付構造。
【請求項３】
前記取付け台は、基台とその周囲に配されたタイルとの間の隙間を隠す大きさで形成されることを特徴とする請求項１又は２記載のタイル仕上面の電気機器取付構造。
【請求項４】
前記基台は、上下の寸法が前記タイルの上下寸法の整数倍の大きさである請求項１乃至３のいずれかに記載のタイル仕上面の電気機器取付構造。
【手続補正２】
【補正対象書類名】明細書
【補正対象項目名】０００８
【補正方法】変更
【補正の内容】
【０００８】
前記目的を達成するために、請求項１に係る発明では、定形で矩形状のタイルが縦横に並んで取付けられるタイル下地面に直接固着される基台と、この基台の前面を覆うとともに基台に固着される取付け台と、この取付け台に固定される電気機器とを具え、前記基台は、タイル下地面から延出して電気機器に接続される導線を挿通するとともに、導線の通過位置を調整しうる充分な大きさに形成された配線開口を有することを特徴とする。
【手続補正３】
【補正対象書類名】明細書
【補正対象項目名】０００９
【補正方法】変更
【補正の内容】
【０００９】
請求項２に係る発明では、前記基台は、タイル下地に向く背面の周縁部とタイル下地との間に第１の水密材を介装し、また請求項３に係る発明においては、前記取付け台は、基台とその周囲に配されたタイルとの間の隙間を隠す大きさで形成されることを特徴とする。
【手続補正４】
【補正対象書類名】明細書
【補正対象項目名】００１０
【補正方法】変更
【補正の内容】
【００１０】
請求項４に係る発明では、前記基台は、上下の寸法が前記タイルの上下寸法の整数倍の大きさであることを特徴とする。
【手続補正５】
【補正対象書類名】明細書
【補正対象項目名】００１１
【補正方法】変更
【補正の内容】
【００１１】
請求項１に係る発明においては、基台は導線の通過位置を調整しうる充分な大きさの配線開口を有することから、少なくとも上下方向に関しては、基台の取付け位置をタイルの目地間に配置することができる。そのため、仕上がりの見栄えを向上できるとともに、施工性に優れる。
【手続補正６】
【補正対象書類名】明細書
【補正対象項目名】００１３
【補正方法】変更
【補正の内容】
【００１３】
請求項２に係る発明のように、基台のタイル下地に向く背面の周縁部とタイル下地との間に第１の水密材を介装すると、雨水が壁内部へ浸入することを防止できる。
【手続補正７】
【補正対象書類名】明細書
【補正対象項目名】００１４
【補正方法】変更
【補正の内容】
【００１４】
請求項３に係る発明のように、前記取付け台は、基台とその周囲に配されたタイルとの間の隙間を隠す大きさで形成されることにより、外観を向上できるとともに、その隙間に雨水が直接降りかかることを防止するため、雨水が壁内部への浸入を阻止できる。
【手続補正８】
【補正対象書類名】明細書
【補正対象項目名】００１５
【補正方法】変更
【補正の内容】
【００１５】
請求項４に係る発明のように、前記基台は、上下の寸法が前記タイルの上下寸法の整数倍の大きさで形成されたときには、タイルを上下方向の中間で切断して、割り付ける必要が無く、仕上がりの見栄えを向上できるとともに、施工性に優れる。
【手続補正９】
【補正対象書類名】明細書
【補正対象項目名】００２１
【補正方法】変更
【補正の内容】
【００２１】
本実施形態において、この基台４は、その上下の外形寸法ＬＶ１が前記タイル２の上下寸法の整数倍の大きさに形成される。例えば本形態では、二丁掛のタイル２（２２７×６０ｍｍ）が使用されるため、その上下寸法（６０ｍｍ）の２倍である１２０ｍｍの大きさに形成される。勿論、１倍の６０ｍｍ、或いは３倍の１８０ｍｍの基台４を用いることもできる。他方図２、３に示すように、本形態の基台４は、前記タイル２の厚さと略同厚さに形成される。
【手続補正１０】
【補正対象書類名】明細書
【補正対象項目名】００２２
【補正方法】変更
【補正の内容】
【００２２】
また前記薄箱体２５の基板部２１の中央には、縦長の配線開口８が形成される。この配線開口８は、タイル２の割付けに合わせて基台４を配置する時、タイル下地面３から延出する導線７が無理なく挿通できる大きさに形成され、上下方向の寸法ＬＶ２が、例えば３０〜１２０ｍｍ程度、好ましくは５０〜１００ｍｍ、本形態では７５ｍｍとし、横方向の寸法ＬＨは、例えば２０〜１００ｍｍ程度、好ましくは３５〜７５ｍｍ、本形態では５０ｍｍとしている。さらに前記配線開口８の周縁には、後側に向けて段落ちした環状受部２８が形成される。
【手続補正１１】
【補正対象書類名】明細書
【補正対象項目名】００２５
【補正方法】変更
【補正の内容】
【００２５】
前記取付け台５は、図１、２に示すように、略厚板状をなすとともに壁面方向において基台４よりも一回り大きく形成され、前面の略中央に電気機器６を取付ける支持部３２を突設するとともに、四隅に取付け孔３３が形成される。そして、取付け孔３３に挿通されるビスなどの固着具３４を、前記基台４の螺孔２９に螺入することにより取付け台５を固着する。このとき、基台４よりも一回り大きく形成された取付け台５が、基台４を覆うことにより基台４とタイル２の間の隙間が隠れるため、外観を向上できるとともに、その隙間に雨水が直接降りかかることを防止するため、雨水が壁内部への浸入を阻止できる。
【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
胴部の一方が閉鎖され、他方が開口している缶を、当該缶の外側から保持する缶保持手段と、
前記缶の内部に前記開口部を介して挿脱可能な除塵機構と、
前記缶を保持している状態の前記缶保持手段を前記除塵機構の方向に移動させて、前記除塵機構を前記缶内部に前記開口部を介して挿脱させる機構及び／又は前記除塵機構を前記缶保持手段により保持されている前記缶の方向に移動させて前記缶内部に前記開口部を介して挿脱させる機構とからなり、
前記除塵機構は、前記缶内部に向けてエアーを噴出するエアー噴出口と、吸込み口とを備えており、前記除塵機構が前記開口部を介して前記缶内部に挿脱する動作に従って前記エアー噴出口と前記吸込み口とが前記缶内部を移動することを特徴とする缶の清掃装置。
【請求項２】
地板が巻締められ、天板巻締め予定部側が開口している缶を、地板の外側から保持する缶保持手段と、
缶の胴部及び地板から構成される缶内部に前記開口部を介して挿脱可能な除塵機構と、
前記缶を地板の外側から保持している状態の前記缶保持手段を前記除塵機構の方向に移動させて、前記除塵機構を前記缶内部に前記開口部を介して挿脱させる機構及び／又は前記除塵機構を前記缶保持手段により地板の外側から保持されている前記缶の方向に移動させて前記缶内部に前記開口部を介して挿脱させる機構とからなり、
前記除塵機構は、前記缶内部に向けてエアーを噴出するエアー噴出口と、吸込み口とを備えており、前記除塵機構が前記開口部を介して前記缶内部に挿脱する動作に従って前記エアー噴出口と前記吸込み口とが前記缶内部を移動することを特徴とする缶の清掃装置。
【請求項３】
除塵機構は、側壁に前記吸込み口が形成されている吸引胴を備えており、除塵機構が前記開口部を介して前記缶内部に挿入される側における当該吸引胴の先端側に前記エアー噴出口が配備されていることを特徴とする請求項１又は２記載の缶の清掃装置。
【請求項４】
吸引胴の前記先端側に回転盤が配備されており、吸引胴の前記先端側に配備されているエアー噴出口は当該回転盤に配備されていることを特徴とする請求項３記載の缶の清掃装置。
【請求項５】
吸引胴は、前記缶の胴部において上下方向に延びる缶接合部に先端開口が臨むエアー噴出ノズルを備えている請求項３又は４に記載の缶の清掃装置。
【手続補正２】
【補正対象書類名】明細書
【補正対象項目名】０００６
【補正方法】変更
【補正の内容】
【０００６】
上記の目的のもとに成されたこの発明の缶の清掃装置は、
胴部の一方が閉鎖され、他方が開口している缶を、当該缶の外側から保持する缶保持手段と、
前記缶の内部に前記開口部を介して挿脱可能な除塵機構と、
前記缶を保持している状態の前記缶保持手段を前記除塵機構の方向に移動させて、前記除塵機構を前記缶内部に前記開口部を介して挿脱させる機構及び／又は前記除塵機構を前記缶保持手段により保持されている前記缶の方向に移動させて前記缶内部に前記開口部を介して挿脱させる機構とからなり、
前記除塵機構は、前記缶内部に向けてエアーを噴出するエアー噴出口と、吸込み口とを備えており、前記除塵機構が前記開口部を介して前記缶内部に挿脱する動作に従って前記エアー噴出口と前記吸込み口とが前記缶内部を移動することを特徴とするものである。
また、
地板が巻締められ、天板巻締め予定部側が開口している缶を、地板の外側から保持する缶保持手段と、缶の胴部及び地板から構成される缶内部に前記開口部を介して挿脱可能な除塵機構と、前記缶を地板の外側から保持している状態の前記缶保持手段を前記除塵機構の方向に移動させて、前記除塵機構を前記缶内部に前記開口部を介して挿脱させる機構及び／又は前記除塵機構を前記缶保持手段により地板の外側から保持されている前記缶の方向に移動させて前記缶内部に前記開口部を介して挿脱させる機構とからなり、前記除塵機構は、前記缶内部に向けてエアーを噴出するエアー噴出口と、吸込み口とを備えており、前記除塵機構が前記開口部を介して前記缶内部に挿脱する動作に従って前記エアー噴出口と前記吸込み口とが前記缶内部を移動することを特徴とするものである。
【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
１つの表面に少なくとも１つの接着層と、カバー層とを備える多層コンポジットカバーレイ基板であって、
Ａ．前記接着層は、１〜２０ミクロンの間でかつそれらを含む範囲の厚さを有し、かつ、
ｉ．１７０〜２５０℃の間でかつそれらを含むガラス転移温度（Ｔｇ）を有する接着性ポリイミドベースのポリマー、または
ｉｉ．接着性ポリイミドベースポリマーの接着性ポリアミック酸前駆体
を含み、
Ｂ．前記カバー層は、１０〜７５ミクロンの間の厚さを有し、かつ、
ｉ．前記接着性ポリイミドベースポリマーのガラス転移温度より少なくとも１０、１５、２５、５０、７５もしくは１００℃高いガラス転移温度（Ｔｇ）を有するカバー層ポリイミドベースポリマー、または
ｉｉ．前記カバー層ポリイミドベースポリマーのカバー層ポリアミック酸前駆体であって、前記カバー層ポリアミック酸前駆体が固形分含量ベースで６０〜８５重量％の範囲の量であり、前記カバー層ポリアミック酸が５０，０００以下の重量平均分子量を有するポリアミック酸前駆体、及び、
ｉｉｉ．１５〜３５重量％（乾燥固形物ベースで）のエチレン系不飽和感光性モノマーであって、前記感光性モノマーの少なくとも２重量％が、アミンアクリレート、アミン官能基を有するメタクリレートもしくはその２つの組合せである感光性モノマー、
ｉｖ．乾燥固形物ベースで１〜１０重量％の光開始剤、及び
ｖ．乾燥固形物ベースで０．１〜１．０重量％の可視光増感剤
を含み、
前記カバーレイの全体の面内熱膨張係数（ＣＴＥ）が３０℃で測定して１０〜４０ｐｐｍ／℃の間であることを特徴とするカバーレイ基板。
【請求項２】
前記カバー層ポリアミック酸は、酸二無水物とジアミンの重合から誘導され、前記酸二無水物は、ビフェニルテトラカルボン酸二無水物（ＢＰＤＡ）、ピロメリット酸二無水物（ＰＭＤＡ）およびＢＰＤＡとＰＭＤＡの混合物からなる群から選択されることを特徴とする請求項１に記載のカバーレイ基板。
【請求項３】
前記カバー層ポリアミック酸は、酸二無水物とジアミンの重合から誘導され、前記ジアミンは、ｐ−フェニレンジアミン、またはｐ−フェニレンジアミンとジアミノベンズアニリドの混合物からなる群から選択されることを特徴とする請求項１に記載のカバーレイ基板。
【請求項４】
前記ジアミノベンズアニリドは、２−メトキシ−４，４’−ジアミノベンズアニリド、２’−メトキシ−４，４’−ジアミノベンズアニリドおよび２，２’−ジメトキシ−４，４’−ジアミノ−ベンズアニリドからなる群から選択されることを特徴とする請求項３に記載のカバーレイ基板。
【請求項５】
前記感光性モノマーは、Ｎ−メチルジエチルアミノジメタクリレート、ジメチルアミノプロピルメタクリルアミド、ジメチルアミノジメタクリレート、アクリレート化アミンオリゴマーアクリレート、ヘキサメチレングリコールジアクリレート、トリエチレングリコールジアクリレート、ポリエチレングリコール（２００）ジアクリレート、シクロヘキサンジメタノールジアクリレート、オキシエチル化フェノールアクリレート、トリプロピレングリコールジアクリレート、トリメチロールプロパントリアクリレート、ポリオキシエチル化トリメチロールプロパントリアクリレート、ポリオキシプロピル化トリメチロールプロパントリアクリレート、ペンタエリスリトールトリアクリレートおよびペンタエリスリトールテトラアクリレートからなる群から選択されることを特徴とする請求項１に記載のカバーレイ基板。
【請求項６】
前記接着層は、ベンゾトリアゾール、５−クロロ−ベンゾトリアゾール、１−クロロ−ベンゾトリアゾール、１−カルボキシ−ベンゾトリアゾール、１−ヒドロキシ−ベンゾトリアゾール、１，２−ナフトトリアゾール、ベンズイミダゾール、メルカプトベンズイミダゾール、５−ニトロ−２−メルカプトベンズイミダゾール、５−アミノ−２−メルカプトベンズイミダゾール、２−アミノベンズイミダゾール、５−メチル−ベンズイミダゾール、４，５−ジフェニル−ベンズイミダゾール、２−グアニジノ−ベンズイミダゾール、ベンゾチアゾール、２−アミノ−６−メチル−ベンゾチアゾール、２−メルカプトベンゾチアゾール、２−メチル−ベンゾチアゾール、ベンズオキサゾール、２−メルカプトベンズオキサゾール、２−メルカプトチアゾリン、ベンゾトリアゾール、３−アミノ−１，２，４−トリアゾール、１Ｈ−１，２，４−トリアゾール−３−チオール、５−アミノ−１，３，４−チオジアゾール−２−チオール、４−メルカプト−１Ｈ−ピラゾロ［３，４−ｄ］ピリミジン、４−ヒドロキシ−ピラゾロ［３，４−ｄ］ピリミジン、５−アミノ−テトラゾール一水和物、トルトリアゾール、１−フェニル−３−メルカプトテトラゾール、２−アミノ−チアゾール、チオ−ベンズアニリド、２−アミノ−５−メルカプトチオフェン、５−アミノ−１，３，４−チオジアゾール−２−チオール、ベンゾトリアゾール、５−クロロ−ベンゾトリアゾール、１−クロロ−ベンゾトリアゾール、１−カルボキシ−ベンゾトリアゾール、１−ヒドロキシ−ベンゾトリアゾール、２−メルカプトベンズオキサゾール、１Ｈ−１，２，４−トリアゾール−３−チオール、およびメルカプトベンズイミダゾールからなる群から選択される接着促進剤をさらに含むことを特徴とする請求項１に記載のカバーレイ基板。
【請求項７】
前記接着層と前記カバー層をイミド化して、ポリイミド接着層とポリイミドカバー層とを提供することを特徴とする請求項１に記載のカバーレイ基板。